(57)【要約】ジップファスナー用スライダー（１）であって、互いに一体化され、前記ファスナーの歯（４ｉ）の列がその間に配置されたベース（２）及びバックパート（３）、ならびに前記バックパート（３）から上に突出し、プルタブの連結リング（６）に拘束可能な噛合部材（５）を含み、  前記噛合部材（５）は、前記ベース（２）に固定された２つの平行な面（７、８）の第１面（７）及び前記バックパート（３）に平行に対向し、かつ内側に向けて屈曲するフック形状部（９）で終端される第２面（８）を有するＵのように実質的に成形され、前記面に垂直に連結するＵの少なくとも第３面（１０）は曲げ弾力性であるジップファスナー用スライダー（１）。【図面】図１
2008520264.tif 000002
【特許請求の範囲】
【請求項１】
ジップファスナー用スライダー（１）であって、互いに一体化され、前記ファスナーの歯（４ｉ）の列がその間に配置されたベース（２）及びバックパート（３）、ならびに前記バックパート（３）から上に突出し、プルタブの連結リング（６）に拘束可能な噛合部材（５）を含み、
前記噛合部材（５）は、前記ベース（２）に固定された２つの平行な面（７、８）の第１面（７）及び前記バックパート（３）に平行に対向し、かつ内側に向けて屈曲するフック形状部（９）で終端される第２面（８）を有するＵのように実質的に成形され、前記面に垂直に連結するＵの少なくとも第３面（１０）は曲げ弾力性があるジップファスナー用スライダー（１）。
【請求項２】
前記バックパート（３）と一体的に該バックパートから突出する２つの剛性フランジ（１１、１２）が、対向する面に平行に、前記噛合部材（５）と並んで配置されており、前記フランジ（１１、１２）のプロファイルは、そこに力が作用しないときに想定される位置において噛合部材（５）の形状を形成するＵの前記第１及び第２面（７、８）のプロファイルと同様である請求項１のスライダー。
【請求項３】
前記バックパート（３）は、そこに形成され、上述した噛合部材（５）が終端する前記フック形状部（９）の自由端（９e）を収容することができる凹部（１３）を有する先行する１つの請求項のスライダー。
【請求項４】
前記凹部（１３）は、貫通凹部であり、
噛合部材（５）の自由端（９ｅ）を、歯（４ｉ）によって占有されるゾーンに達し、スライダー（１）の動きを妨げるために、所定の深さ（Ｒ）にわたってそれらの間に押し込むことを可能にするサイズを有してなる請求項３のスライダー。
【請求項５】
前記フック形状部（９）の自由端（９ｅ）のプロファイルは、その第１面（７）及びその第２面（８）とともに連結する噛合部材（５）の形状を形成する前記Ｕの第３面（１０）に向かって、内側に湾曲する請求項１〜３のいずれか１つのスライダー。
【請求項６】
丸溝（１４）が、前記凹部（１３）の内側で収容される前記フック形状部（９）の自由端（９ｅ）の外表面に形成され、前記丸溝は、外側から内側に、それ自体と前記バックパート（３）の間にプルタブの連結リング（６）の挿入を可能にするような傾斜を有し、この挿入動作は前記噛合部材（５）の引き上げ作用を有し、その曲げ弾力性を乗り越え、プルタブの連結リング（６）を通過させることを可能にするようにそれを持ち上げる請求項１、２、３又は５のスライダー。
【発明の詳細な説明】
【技術分野】
【０００１】
本発明は、スライダーと呼称される適切な成形部材を、両方向にスライドすることによって、２列の対向する歯が互いに噛合し／互いから解除されるジップファスナーの分野に関する。
【背景技術】
【０００２】
このスライダーは、プルタブと呼称される成形プレートを操作することによって移動し、それは、スライダー（ファスナーの歯は、バックパート及びそれと一体化したベースとの間に配置され、平行にそれと対向する）のバックパートから上方に突出する噛合部材（実質的にリング形状である）に拘束されるリング内で終端する。
【０００３】
一般に、噛合部材は、プルタブを交換可能とするために、スライダーの後部で単一ボディを形成する閉リングであり、弾力的に開口することができるようにそれをデザインすることによって、プルタブの連結リングを改良することが必要であるが、これは、構造的に複雑化させ、構造的な弱点をもたらす。
【０００４】
出願人は、簡便かつ構造的な変形なしにプルタブをスライダーに噛合及びスライダーからプルタブを解除する可能性を得るための取り組みがなされていることを認識しているが、得られた結果は、追加のコスト及び種々の部品を製造することの困難さに見合わないものである。
【０００５】
例えば、米国特許公報５８６４９２８号では、噛合部材は、スライダーボディ近傍で開き、ピンによって枢軸可能にスライダーボディに装備され、伝達部材に作用し、プルタブがそれと噛合した後、閉位置にそれを戻す伸縮ばねが設けられている。
【０００６】
この解決の主な欠点は、複雑な製造が必要であり、形成又は組み立てられる部材が多いために比較的コストが高い。これら２つの観点は、ファスナーの歯の列に対してそれらの所望の位置でスライダーを閉じるために、さらなる部材がそれにヒンジされ、エスケープメントするように操作し、歯の間にその自由端を挿入するという事実によって、さらに負担を重くする。
【発明の開示】
【０００７】
コストに影響を及ぼすことに加え、構造上のデザインが複雑であり、また、スライダーの剛性及び寿命について否定的な結果をもたらすことは上述したように明らかである。
【０００８】
本発明の目的は、シンプルかつ安価であり、上述したように両機能を行う、つまり、プルタブの噛合及び解除ならびにファスナーの歯とそれらのロックを可能にするファスナー用のスライダーを考案することである。
【０００９】
このスライダーは、以下に示すように、シンプルなデザインを有するわずか２つの部品とともに固定することによって形成される。
本発明のスライダーでは、まさに、上述した噛合部材が、実質的にＵ字状に成形され、その２つの平行な面のうちの第１面は、スライダーのベースに固定され、一方、第２面は平行にバックパートに対向し、後者にバックパートに向かい、フック形状部内で終端されており、それらに垂直に連結する少なくとも第３面が曲げ弾力性を有する。
スライダーのバックからそれを引き上げるようとする力を第１面に働かせることにより、第２面（適用可能であれば、第３面もまた）の曲げ性の結果、プルタブのリングの挿入又は抜き取りのためのギャップを作るのに十分な距離によるスライダーのバックから上述したフック形状部を引き離すことができる。
【００１０】
次いで、噛合部材が解除するとき、その反発力は、それを内側に挿入することができる、プルタブのリングがそこに強制的に強固に残存する、閉地位にそれを戻し、上述したフック部の形状は、第３面の方向に内側に屈曲するが、いずれかの方向に向く引張力がそれに働く際、スライダーのリングがはずれることを防止する。
【００１１】
ウプシロン形状の噛合部材のフック形状部をスライダーのバックに形成された凹部に挿入し、この凹部が貫通凹部であれば、それは、スライダーの内側に位置するファスナーの歯に達し、それらの間に挿入され、まさにファスナーをロックする。
【００１２】
従って、本発明の目的は、添付の請求項１に記載されたように、ファスナー用スライダーにある。
【００１３】
本発明のスライダーの好ましい実施形態を、図面に基づいて、以下に詳細に説明する。
図１から６では、本発明のスライダー１は、公知の基準に従って、一体的に形成されたベース２及びバックパート３（その間に、ファスナー（図面において模式的にのみ示される）の歯４ｉの列が配列されている）が配置され、ならびにバックパート３から上方に突出し、プルタブ（その全体は図示せず）の連結リング６に拘束され得る噛合部材５を含む。従って、スライダー１は、単に、ともに固定された２つの部材からなり、スライダーボディと噛合部材５とからなる。
【００１４】
本発明のスライダー１では、噛合部材５は実質的にＵの形状で成形され、その２つの平行な面７、８のこのＵの第１面７は、ベース２に固定され、第２面８は、実質的に平行にバックパート３に平行に対向しており、内側に屈曲したフック形状部９で終端されており、他の２面に垂直に連結する第３面１０は、曲げ弾力性がある。
【００１５】
必要ならば、２つの平行な面７、８の一方又はそれらの双方は、この曲げ弾力性を有していてもよいことに留意すべきである。
【００１６】
図面から明らかなように、噛合部材の第１面７を引き離すような力を働かせることにより、プルタブの連結リング６の挿入（図に示したように）又は離脱を可能とするように、移動Ｐが与えられ、また、非常に容易に、連結リング６の除去及び置き換えを可能にする。
【００１７】
噛合部材を解除する場合、その最初の閉位置で再配列され、そのフック形状部９、特に、その自由端９ｅで内側に向かって屈曲するために、つまり、Ｕの第３面１０に向かうために、いずれかの方向に働く力の結果として、連結リング６の偶発的な抜き取りを防止する。
【００１８】
有利にも、大きな剛性をアセンブリに与えるために、本発明者は発明のスライダー１のバックパート３上に、好ましくは補足的に、噛合部材５を終端させるフック形状部９の自由端９ｃを収容するためにデザインされた凹部１３を形成することを構想しており、以下のインパクト又は他の同様の故障を起こし得るそれらの横向きの動きを防止する。
【００１９】
噛合部材５は、制限された横方向の厚さで形成することができるため、発明者はまた、２つの保護的及び補強的なフランジ１１、１２が、スライダー１のバックパート３から延長し、それらの対向する面に平行に噛合部材５の横に並んで配置することを構想している。
【００２０】
これらフリンジ１１、１２のプロファイルは、噛合部材５の形状を形成するＵの第１及び第２面７、８のそれと同様であり、それによって、噛合部材５を被覆し、横向きのストレスからそれを保護する（これに関して、図７参照）。
【００２１】
発明者によって構想されたさらなる対策は、凹部１３の内側に収容される上述したフック形状部９の自由端９ｅ上に丸溝１４を与える可能性を含む。この丸溝１４のプロファイルは、丸溝と外側から内部に向かうバックパート３の表面との間にプルタブリング６の挿入を可能とするような傾斜を有する。この挿入は、連結リング６によって与えられる、スライダー１のバックパート３に平行な力Ｆ（図８参照）で圧力を加えることによって起こり、傾斜表面の結果として、噛合部材を引き上げ（矢印Ｓ）、その屈曲抵抗を乗り越え、リング６の挿入を可能に及び促進するように、それを持ち上げる。
【００２２】
種々の図面において見られるように、図示された例におけるように、凹部は、連結部材９の自由端９ｃを歯４ｉによって占有されるゾーンに達することを可能するように、貫通凹部であってもよく、わずか数１０ｍｍの深さＲを越えて（図１、６に示す）それらの間に押し込まれ、スライダー１のさらなる動きを防止し、まさに付属ファスナーをロックする。
いずれかの方向にスライダー１を動かすために、それを開けるために噛合部材５のわずかな曲げを引き起こす少なくとも１つの部品によって、ある方向（図８中、Ｓ）に力を働かせることが基本的に必要であり、この曲げ作用は、深さＦにわたってそれらの上述した自由端９ｅを上げるのに十分であり、歯４ｉによって占有されるゾーンからそれを抜き取り、スライダー１を自由にすることから、ファスナーのアンロックが自動的に起こる。
上述した自動的なロック及びアンロック操作は、容易に理解することができ、当業者によって想像することができるため、図示していない。
【００２３】
この「自動的」なロック作用を得ることが必要なければ、それが、より浅い深さを有する「ブラインド」形状を有することができるように凹部１３をデザインすることで十分である（この可能性は、図示していない）。
【００２４】
わずか２つの部材で形成され、従って、シンプルで、製造するのに安価である本発明のスライダーによって、上述した全ての機能を行うことが可能であり、つまり、プルタブの噛合及び解除が容易で、いかなる機械的な操作なしに、恒久的な変形なしに、ならびにファスナーにおけるスライドを簡便にロックすることができる。
【図面の簡単な説明】
【００２５】
【図１】本発明のスライダーの実施例におけるブルタブのリングの噛合の間の部品の一連の位置を示す拡大及び部分切取側面図である。
【図２】本発明のスライダーの実施例におけるブルタブのリングの噛合の間の部品の一連の位置を示す拡大及び部分切取側面図である。
【図３】本発明のスライダーの実施例におけるブルタブのリングの噛合の間の部品の一連の位置を示す拡大及び部分切取側面図である。
【図４】本発明のスライダーの実施例におけるブルタブのリングの噛合の間の部品の一連の位置を示す拡大及び部分切取側面図である。
【図５】本発明のスライダーの実施例におけるブルタブのリングの噛合の間の部品の一連の位置を示す拡大及び部分切取側面図である。
【図６】本発明のスライダーの実施例におけるブルタブのリングの噛合の間の部品の一連の位置を示す拡大及び部分切取側面図である。
【図７】先の図において示した同スライダーの平面図である。
【図８】先の図による実施例における拡大及び部分切取側面図であり、どのようにフック形状部の端部における丸溝がスライダーのリングの挿入を促進するかを示す。
【図１】
2008520264.tif 000003
【図２】
2008520264.tif 000004
【図３】
2008520264.tif 000005
【図４】
2008520264.tif 000006
【図５】
2008520264.tif 000007
【図６】
2008520264.tif 000008
【図７】
2008520264.tif 000009
【図８】
2008520264.tif 000010
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
ジップファスナー用スライダー（１）であって、互いに一体化され、前記ファスナーの歯（４ｉ）の列がその間に配置されたベース（２）及びバックパート（３）、ならびに前記バックパート（３）から上に突出し、プルタブの連結リング（６）に拘束可能な噛合部材（５）を含み、
前記噛合部材（５）は、前記ベース（２）に固定された２つの平行な面（７、８）の第１面（７）及び前記バックパート（３）に平行に対向し、かつ内側に向けて屈曲するフック形状部（９）で終端される第２面（８）を有するＵのように実質的に成形されてなり、
前記面に垂直に連結するＵの少なくとも第３面（１０）は曲げ弾力性を有し、それによって閉位置から可動の前記フック形状部（９）を形成し、該閉位置は噛合部材（５）内側にプルタブの前記リング（６）を拘束し、
フック形状部（９）がプルタブの前記リング（６）の挿入又は引き抜き用のギャップを形成するための十分な距離で前記バックパート（３）から離間されるように配置されてなることを特徴とするジップファスナー用スライダー（１）。
【請求項２】
前記バックパート（３）と一体的に該バックパートから突出する２つの剛性フランジ（１１、１２）が、対向する面に平行に、前記噛合部材（５）と並んで配置されており、前記フランジ（１１、１２）のプロファイルは、そこに力が作用しないときに想定される位置において噛合部材（５）の形状を形成するＵの前記第１及び第２面（７、８）のプロファイルと同様である請求項１のスライダー。
【請求項３】
前記バックパート（３）は、そこに形成され、上述した噛合部材（５）が終端する前記フック形状部（９）の自由端（９e）を収容することができる凹部（１３）を有する先行する１つの請求項のスライダー。
【請求項４】
前記凹部（１３）は、貫通凹部であり、
噛合部材（５）の自由端（９ｅ）を、歯（４ｉ）によって占有されるゾーンに達し、スライダー（１）の動きを妨げるために、所定の深さ（Ｒ）にわたってそれらの間に押し込むことを可能にするサイズを有してなる請求項３のスライダー。
【請求項５】
前記フック形状部（９）の自由端（９ｅ）のプロファイルは、その第１面（７）及びその第２面（８）とともに連結する噛合部材（５）の形状を形成する前記Ｕの第３面（１０）に向かって、内側に湾曲する請求項１〜３のいずれか１つのスライダー。
【請求項６】
丸溝（１４）が、前記凹部（１３）の内側で収容される前記フック形状部（９）の自由端（９ｅ）の外表面に形成され、前記丸溝は、外側から内側に、それ自体と前記バックパート（３）の間にプルタブの連結リング（６）の挿入を可能にするような傾斜を有し、この挿入動作は前記噛合部材（５）の引き上げ作用を有し、その曲げ弾力性を乗り越え、プルタブの連結リング（６）を通過させることを可能にするようにそれを持ち上げる請求項１、２、３又は５のスライダー。
【手続補正２】
【補正対象書類名】明細書
【補正対象項目名】０００７
【補正方法】変更
【補正の内容】
【０００７】
コストに影響を及ぼすことに加え、構造上のデザインが複雑であり、また、スライダーの剛性及び寿命について否定的な結果をもたらすことは上述したように明らかである。
また、スライダーは、ＵＳＡ−２３２２８２６号公報、ＵＳＡ−１９６７１３７号公報及びＵＳＡ−３７９３６８４号公報にも記載されている。
【国際調査報告】
2008520264.tif 000011
2008520264.tif 000012